(57)【要約】【課題】スプリングを保持するための雌ねじ部の緩みを防止することができるようにすること。【解決手段】保持構造１５は、スプリング１３の一端側に連結されるボルト部材２０と、このボルト部材２０を貫通する穴を２１Ａ有する支持体２１と、ボルト部材２０に螺合するとともに、穴２１Ａの軸線方向に沿って支持体２１を挟み込むことによりボルト部材２０の移動を規制する固定用ナット２３とを備え、引っ張り力を発揮するスプリングＳの一端側を保持する。支持体２１には凸部２６が設けられ、固定用ナット２３には凸部２６を受容する凹部２７が設けられる。凸部２６及び凹部２７は、傾斜面２６Ａ，２７Ａをそれぞれ備えている。各傾斜面２６Ａ，２７Ａは、穴２１Ａの軸線方向に対して傾斜し、相互に接触可能に設けられている。【選択図】図４
2010159797.tif 000002
【特許請求の範囲】
【請求項１】
所定方向に引っ張り力を発揮するスプリングの一端側を保持する構造において、
前記スプリングの一端側に連結される雄ねじ部と、この雄ねじ部を貫通する穴を有する支持体と、雄ねじ部に螺合するとともに、前記穴の軸線方向に沿って支持体を挟み込んで雄ねじ部の移動を規制可能な雌ねじ部とを備え、
前記支持体と雌ねじ部との何れか一方に凸部が設けられるとともに、何れか他方に凸部を受容可能な凹部が設けられ、
前記凸部及び凹部は、傾斜面をそれぞれ備え、各傾斜面は、前記軸線方向に対して傾斜するとともに、相互に接触可能に設けられていることを特徴とするスプリングの保持構造。
【請求項２】
前記凸部は、円錐台状に形成され、前記凹部は、前記円錐台の円錐面に沿う内周面を備えていることを特徴とする請求項１記載のスプリングの保持構造。
【発明の詳細な説明】
【技術分野】
【０００１】
本発明は、スプリングの保持構造に係り、更に詳しくは、スプリングの端部を保持することができるスプリングの保持構造に関する。
【背景技術】
【０００２】
従来より、バスドラムを演奏するためにドラム用のフットペダルが広く利用されている。フットペダルは、フッドボードを踏み込むことでドラムビータを回転してバスドラムの打面を打撃できるようになっており、フットボード及びドラムビータは、回転軸を介して連結されている。この回転軸には、その径方向に引っ張り力を付与するスプリングが連結されており、このスプリングの引っ張り力により、フッドボードの踏み込みを解除したときに、当該フットボードとドラムビータとが設定位置に復帰される。
【０００３】
ここで、スプリングの一端側、すなわち、回転軸と連結される反対側端部の保持構造として、特許文献１に開示されているものが知られている。同文献では、スプリングの一端側にボルトが連結されており、このボルトが支持フレームに形成された穴に挿通される。また、ボルトには一対のナットが螺合しており、これらナットにより穴の軸線方向両側から支持フレームを挟み込むことで、ボルトを固定してスプリングを保持するようになっている。
【先行技術文献】
【特許文献】
【０００４】
【特許文献１】米国特許第５３６５８２４号明細書
【発明の概要】
【発明が解決しようとする課題】
【０００５】
しかしながら、特許文献１にあっては、ナットと支持体との接触面がボルトの軸線に直交する平面にそれぞれ形成されるので、演奏中にナットが緩み易くなり、ボルトの保持力が弱くなるという不都合がある。この結果、演奏中にボルトにずれやがたつきが生じ、雑音発生の原因になったり、フットボードやドラムビータを復帰させる力が変化して演奏性を損なうという不都合を招来する。
【０００６】
［発明の目的］
本発明は、このような不都合に基づいて案出されたものであり、その目的は、演奏中にスプリングを保持するための雌ねじ部が緩むことを防止することができるスプリングの保持構造を提供することにある。
【課題を解決するための手段】
【０００７】
前記目的を達成するため、本発明は、所定方向に引っ張り力を発揮するスプリングの一端側を保持する構造において、
前記スプリングの一端側に連結される雄ねじ部と、この雄ねじ部を貫通する穴を有する支持体と、雄ねじ部に螺合するとともに、前記穴の軸線方向に沿って支持体を挟み込んで雄ねじ部の移動を規制可能な雌ねじ部とを備え、
前記支持体と雌ねじ部との何れか一方に凸部が設けられるとともに、何れか他方に凸部を受容可能な凹部が設けられ、
前記凸部及び凹部は、傾斜面をそれぞれ備え、各傾斜面は、前記軸線方向に対して傾斜するとともに、相互に接触可能に設けられる、という構成を採っている。
【０００８】
本発明において、前記凸部は、円錐台状に形成され、前記凹部は、前記円錐台の円錐面に沿う内周面を備える、という構成を採ることができる。
【発明の効果】
【０００９】
本発明によれば、雌ねじ部をねじ込むことで、凸部及び凹部の各傾斜面が擦れ合いつつ、くさびのように凹部内に凸部を食い込ませることができ、演奏中における雌ねじ部の不用意な緩みを抑制することが可能となる。これにより、雄ねじ部の位置をしっかりと維持することができ、本発明をドラム用のフットペダルに利用した場合、フットボード等への付勢力を良好に保つことができ、雑音の発生を防止したり、演奏性を向上させることが可能となる。
【００１０】
また、凸部が円錐台状に形成され、凹部が円錐面に沿う内周面を有するので、雌ねじ部のねじ込みにより、凹部内に凸部をスムース且つ強固に食い込ませることが可能となる。
【図面の簡単な説明】
【００１１】
【図１】本発明の保持構造が適用された実施形態に係るフットペダルの部分概略正面図。
【図２】図１の要部拡大正面断面図。
【図３】支持体及び凸部の概略斜視図。
【図４】図２の分解図。
【発明を実施するための形態】
【００１２】
以下、本発明の好ましい実施の形態について図面を参照しながら説明する。
なお、本明細書における方向若しくは位置的用語は、特に明示しない限り、図１及び図２を基準とする。
【００１３】
図１には、本発明の保持構造が適用されたフットペダルの部分概略正面図が示されている。この図において、フットペダル１０は、上下に延びるフレーム１１と、このフレーム１１に回転可能に支持される回転軸１２と、この回転軸１２に下向きの引っ張り力を付与するスプリング１３と、このスプリングの１３の一端側すなわち下端側を保持する保持構造１５とを備えて構成されている。
【００１４】
前記回転軸１２には、図示しないフットボード及びドラムビータが連結されており、フットボードの踏み込み操作により回転軸１２を回転し、当該回転により前記ドラムビータを回動させてドラムを打撃可能となっている。回転軸１２の右端側には、カムプレート１７が取り付けられており、このカムプレート１７の下部にスペーサ部材１８を介して前記スプリング１３の上端側が引っ掛け保持されている。
【００１５】
前記保持構造１５は、図２ないし図４にも示されるように、上下に延びるとともに、スプリング１３の一端側に連結された雄ねじ部としてのボルト部材２０と、前記フレーム１１から側方に突設された支持体２１と、ボルト部材２０に螺合する雌ねじ部としての固定用ナット２３及び調整用ナット２４とを備えている。調整用ナット２４は、支持体１１の下面側に位置するとともに、外周にくびれ部２４Ａを有する形状に設けられている。
【００１６】
前記支持体２１には、ボルト部材２０を貫通する穴２１Ａが形成されている。また、支持体２１の上面における穴２１Ａの形成位置には、上向きの凸部２６が連設されている。この凸部２６は、穴２１Ａと軸線位置が一致する円錐台状に形成されている。従って、凸部２６は、穴２１Ａの軸線方向に対し、上方に向かうに従って接近するように傾斜する傾斜面２６Ａすなわち円錐面を外周に備えている。
【００１７】
前記固定用ナット２３は、支持体１１の上面側に配置されている。固定用ナット２３の下面側には、凹部２７が形成されている。この凹部２７は、凸部２６の前記円錐面に沿う内周面を備えた皿もみ形状に設けられ、前記凸部２６の傾斜面２６Ａと同様に傾斜する傾斜面２７Ａを備えている。凹部２７は、凸部２６の先端側を部分的に受容可能な内径寸法に設けられ、凹部２７内に凸部２６が受容されたときに、各傾斜面２６Ａ，２７Ａが相互に面接触可能に設けられている。
【００１８】
以上の構成において、保持構造１５を介してスプリング１３の下端側を保持する場合、支持体２１の穴２１Ａ内にボルト部材２０を挿通するとともに、ボルト部材２０に固定用ナット２３及び調整用ナット２４を螺合する。これと前後して、スプリング１３の下端側をボルト部材２０に連結し、上端側を前記スペーサ部材１８に連結する。そして、調整用ナット２４を回転してボルト部材２０の軸線方向に進退させ、調整用ナット２４の上面が支持体２１の下面に当接した際のスプリング１３下端の上下位置を調整する。この調整により、スプリング１３が伸びた状態となって回転軸１２を下方向に適度な大きさで引っ張る力を発揮するようになり、回転軸１２の回転位置が所定位置に維持される。
【００１９】
その後、固定用ナット２３を回転して支持体２１に接近させ、前記凹部２７内に凸部２６の先端を受容させて各傾斜面２６Ａ，２７Ａを接触させる。これにより、固定用ナット２３及び調整用ナット２４により支持体２１が上下方向に沿って挟み込まれ、ボルト部材２０の軸線方向の移動を規制する。そして、凹部２７内に凸部２６を受容させた状態から固定用ナット２３を更に締め付けるように回転すると、凹部２７の内径を拡大するように凸部２６が凹部２７内に食い込み、固定用ナット２３の意図しない緩みを抑制することが可能となる。
【００２０】
従って、このような実施形態によれば、固定用ナット２３の回転により、固定用ナット２３及び調整用ナット２４により支持体２１を挟み込んでボルト部材２０の移動規制を行いつつ、凹部２７内に凸部２６をくさびのように食い込ませて固定用ナット２３の緩み防止を図ることが可能となる。これにより、固定用ナット２３の緩みに起因するボルト部材２０のがたつきや、雑音の発生を回避することができ、回転軸１２に付与する引っ張り力の安定化を通じて演奏性を高めることが可能となる。
【００２１】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２２】
例えば、前記固定用ナット２３に凸部を設け、当該凸部が食い込み可能に受容される凹部を支持体２１の穴２１Ａ周りに設けることで、固定用ナット２３の緩み防止を図るようにしてもよい。
【００２３】
また、調整用ナット２４にも、固定用ナット２３と同様に凹部２７或いは凸部を設け、これに対応して支持体２１の下面に凸部２６或いは凹部を設けてもよい。
【符号の説明】
【００２４】
１３・・・スプリング、１５・・・保持構造、２０・・・ボルト部材（雄ねじ部）、２１・・・支持体、２１Ａ・・・穴、２３・・・固定用ボルト（雌ねじ部）、２６・・・凸部、２６Ａ・・・傾斜面、２７・・・凹部、２７Ａ・・・傾斜面
【図１】
2010159797.tif 000003
【図２】
2010159797.tif 000004
【図３】
2010159797.tif 000005
【図４】
2010159797.tif 000006